(57)【要約】      （修正有）【課題】副食容器の上に主食容器、汁容器を載置して滑る恐れなく保持でき、かつ、複数種類の箸・カトラリー等を収容できる給食用弁当容器を提供する。【解決手段】主食容器本体１０と主食容器蓋１２とを有する主食容器１４、副食容器本体１６と副食容器蓋１８とを有する副食容器２０、汁容器本体２２と汁容器蓋とを有する汁容器２６を包含し、前記副食容器の上に前記主食容器及び前記汁容器を載置して給食用弁当容器とする。また、副食容器蓋の上面に、箸置き場所、副食容器本体の糸尻が係合する副食容器用糸尻係合部及び主食容器本体の糸尻が係合する主食容器用糸尻係合部が突起によって形成され、主食容器蓋が、上面に、箸置き場所及びカトラリー置き場が突起によって形成され、該カトラリー置き場にスプーンヘッド部及びホークヘッド部を受け入れる凹部が形成されており、前記副食容器用糸尻係合部が、その四隅の内側で係合する三角形突起とする。【選択図】図１
0003176837.tif 000002
【実用新案登録請求の範囲】
【請求項１】
主食容器本体と主食容器蓋とを有する主食容器、副食容器本体と副食容器蓋とを有する副食容器、汁容器本体と汁容器蓋とを有する汁容器を包含し、前記副食容器の上に前記主食容器及び前記汁容器を載置する給食用弁当容器であって、
副食容器蓋の上面に、箸置き場所、副食容器本体の糸尻が係合する副食容器用糸尻係合部及び主食容器本体の糸尻が係合する主食容器用糸尻係合部が突起によって形成され、
主食容器蓋が、上面に、箸置き場所及びカトラリー置き場が突起によって形成され、該カトラリー置き場にスプーンヘッド部及びホークヘッド部を受け入れる凹部が形成されており、
前記副食容器用糸尻係合部が、その四隅の内側で係合する三角形突起であることを特徴とする給食用弁当容器。
【考案の詳細な説明】
【技術分野】
【０００１】
本考案は、給食用弁当容器、さらに詳しくは、主食（飯）容器、副食容器、汁容器、箸・カトラリー等を一時的に一体化して安定性をもって持ち運びができる給食用弁当容器に関する。カトラリーは、スプーン、フォーク、ナイフ等の洋食用食用補助具類である。
【背景技術】
【０００２】
従来の給食配給方法は、給食提供者が、配給場所において喫食者に既に飯等の内容物を入れた主食容器、副食容器、汁容器、箸・カトラリー等を供給する。あるいは、所定位置に積み置かられた主食容器、副食容器、汁容器、箸・カトラリー等を取り、内容物供給場所でこれらの容器に順次内容物を入れる。喫食者は、これらの容器を喫食場所に運んで喫食する。
【０００３】
喫食者がこれらの容器を喫食場所に運ぶためには、これらの容器を安定して保持して一度に搬送できることが望ましい。
【０００４】
また、主食容器、副食容器、汁容器の容器や、箸・カトラリー等は、自動洗浄機で洗浄して繰り返して使用される。従って、主食容器、副食容器、汁容器の容器や、箸・カトラリー等は、効率的にかつ完全に洗浄できるものでなければならない。さらに、耐久性が高く、長期間にわたって繰り返し使用が可能であることが望まれる。
【考案の概要】
【考案が解決しようとする課題】
【０００５】
上述した給食用弁当容器に対する要望に対し、現在市場に提供されているものは、副食容器の上に主食容器、汁容器を載置して滑る恐れなく保持することができ、喫食場所への搬送も安全に行える。しかし、箸・カトラリー等に対する収容場所は十分でなく、一種類の箸・カトラリーしか収容できず、多様化する給食内容に十分対応することができないという問題があった。
【０００６】
さらに、副食容器の上に主食容器、汁容器を載置して滑る恐れなく保持するために、副食容器の蓋部の表面に、鍵形（Ｌ字形）の主食容器用突起部を設け、主食容器の底部または底部に設けた主食容器用突起部を前記副食容器突起部に係合させている。このように構成することによって副食容器の上で主食容器、汁容器が滑ることはある程度防止することができる。しかし、主食容器用突起部は、鍵形（Ｌ字形）に形成されているため、その角部内側は、洗浄が行われなかったり、洗浄カスが残留する等の恐れがある。そのため、効率的に洗浄を行うことができないという問題があった。
【０００７】
（考案の目的）
本考案は、従来技術の給食用弁当容器に関する上述した問題に鑑みてなされたものであって、副食容器の上に主食容器、汁容器を滑る恐れなく載置して保持することができ、かつ、複数種類の箸・カトラリー等を収容することができ、多様化する給食内容に十分対応することができる給食用弁当容器を提供することを目的とする。
本考案さらに、副食容器の上に主食容器、汁容器を載置して滑る恐れなく保持することができ、さらに、副食容器の蓋部の表面に、鍵形（Ｌ字形）の主食容器用突起部を設けることなく、洗浄残りや洗浄カス残留の恐れがなく、効率的に洗浄可能な給食用弁当容器を提供することを目的とする。
【課題を解決するための手段】
【０００８】
本考案は、
主食容器本体と主食容器蓋とを有する主食容器、副食容器本体と副食容器蓋とを有する副食容器、汁容器本体と汁容器蓋とを有する汁容器を包含し、前記副食容器の上に前記主食容器及び前記汁容器を載置する給食用弁当容器であって、
副食容器蓋の上面に、箸置き場所、副食容器本体の糸尻が係合する副食容器用糸尻係合部及び主食容器本体の糸尻が係合する主食容器用糸尻係合部が突起によって形成され、
主食容器蓋が、上面に、箸置き場所及びカトラリー置き場が突起によって形成され、該カトラリー置き場にスプーンヘッド部及びホークヘッド部を受け入れる凹部が形成されており、
前記副食容器用糸尻係合部が、その四隅の内側で係合する三角形突起であることを特徴とする給食用弁当容器
である。
【考案の効果】
【０００９】
本考案の給食用弁当容器によれば、副食容器の上に主食容器、汁容器を滑る恐れなく載置して保持することができ、かつ、複数種類の箸・カトラリー等を収容することができ、多様化する給食内容に十分対応することができる効果を得ることができる。
本考案の給食用弁当容器によればさらに、副食容器の上に主食容器、汁容器を載置して滑る恐れなく保持することができ、さらに、副食容器の蓋部の表面に、鍵形（Ｌ字形）の主食容器用突起部を設けることなく、洗浄残りや洗浄カス残留の恐れがなく、効率的に洗浄可能な給食用弁当容器を形成できる効果を有する。
【図面の簡単な説明】
【００１０】
【図１】本考案の実施形態の給食用弁当容器の斜視図である。
【図２】本考案の実施形態の給食用弁当容器の副食容器本体の平面図である。
【図３】本考案の実施形態の給食用弁当容器の副食容器蓋の平面図である。
【図４】本考案の実施形態の給食用弁当容器の主食容器蓋の平面図である。
【考案を実施するための形態】
【００１１】
以下に、本考案の実施形態の給食用弁当容器を、図面に基づいて説明する。
給食用弁当容器１は、図１に示すように、主食容器本体１０と主食容器蓋１２とを有する主食容器１４、副食容器本体１６と副食容器蓋１８とを有する副食容器２０、汁容器本体２２と汁容器蓋２４とを有する汁容器２６を有する。給食用弁当容器１は、給食時に、図１に示すように、副食容器２０の上に主食容器１４と汁容器２６を載置する。給食準備時には、副食容器２０の上に副食容器１４を付き重ねることもある（図示せず）。
【００１２】
副食容器本体１６は、図２に示すように、複数の副食を収容するための複数の副食凹部１６ａ、１６ｂ、１６ｃ、１６ｄを有する。
【００１３】
副食容器蓋１８は、図３に示すように、概ね矩形の主食容器受け突部３０，円周状に並んだ汁容器受け突部３２，３個の箸受け突起３４，一対の三角形副食容器受け突部３６を有する。これらの受け突部は、上面が平面である。
【００１４】
三角形副食容器受け突部３６は、副食容器蓋１８を積み重ねた時、上下の副食容器蓋２０がずれないようにする作用をする。副食容器２０を積み重ねた時、副食容器本体１６の糸尻（図示せず）は、図３に斜線で示す糸尻位置１６Ｔに載る。
【００１５】
主食容器蓋１２は、図４に示すように、箸４４を受け入れる部分を形成する箸受け突部４６と、箸受け突部を兼ねてカトラリー４８を受け入れる部分を形成するカトラリー受け突部５０とを有する。カトラリー受け突部５０は、狭い中央部５２と、広い両端部５４からなるカトラリー受け領域６０がある。両端部５４は、副食容器蓋１８の他の部分より凹んでおり、この凹みカトラリーすなわちスプーン及びフォークのヘッド部分を受け入れる。
【符号の説明】
【００１６】
１            給食用弁当容器
１０          主食容器本体
１２          主食容器蓋
１４          主食容器
１６          副食容器本体
１６Ｔ        糸尻位置
１８          副食容器蓋
２０          副食容器
２２          汁容器本体
２４          汁容器蓋
２６          汁容器
３０          主食容器受け突部
３２          汁容器受け突部
３４          箸受け突部
３６          三角形副食容器受け突部
５０          カトラリー受け突部
６０          カトラリー受け領域
【図１】
0003176837.tif 000003
【図２】
0003176837.tif 000004
【図３】
0003176837.tif 000005
【図４】
0003176837.tif 000006